(57)【要約】【課題】殺菌、消臭、空気清浄装置による空気清浄システムにおいて、外気を取入れながら熱交換を効率よく行い、殺菌フィルターや消臭フィルターの機能を充分発揮させることの出来る、殺菌、消臭、空気清浄システムを提供すること。【解決手段】殺菌、消臭、空気清浄ユニット（１０）、全熱交換器（２０）及び除湿機（３０）を、ダクトＡ（４０）、ダクトＢ（４１）、ダクトＣ（４２）、ダクトＤ（４３）、ダクトＥ（４５）、ダクトＦ（４６）、ダクトＧ（４７）により有機的に連結し、ダクトＡ（４０）、ダクトＦ（４６）及びダクトＧ（４７）の途中に風量調節ダンパー（４８）を設け、ダクトＧ（４７）の先端にリリースダンパー（４９）を設ける。ダクトＤ（４３）に吹出口（４４）を必要数取り付ける。【特許請求の範囲】
【請求項１】
殺菌、消臭、空気清浄装置による空気清浄システムにおいて、殺菌、消臭、空気清浄ユニットに全熱交換器及び除湿機を組み込んで、ダクトで有機的に連結し、殺菌、消臭、熱交換を効率よく行う、殺菌、消臭、空気清浄システム。
【発明の詳細な説明】
【０００１】
【発明の属する技術分野】
本発明は、殺菌、消臭、空気清浄装置による空気清浄システムにおいて、全熱交換器及び除湿機を組み込んで効率的な空気清浄を行う、殺菌、消臭、空気清浄システムに関するものである。
【０００２】
【従来の技術】
従来、空気清浄装置に関しては、様々な提案が行われている。
空気清浄の機能については、空気中に浮遊する塵埃の除去、カビ、細菌等の殺菌及び悪臭を除去する消臭、という三つの面がある。
塵埃の除去については、メッシュ状の集塵フィルターが一般的に使用されている。また、電気集塵フィルターを使用したものもある。
殺菌については、殺菌作用がある化学物質をフィルターに付着または含浸させた殺菌フィルターや酵素をフィルターに付着または含浸させた殺菌フィルターによる殺菌等の提案が行われている。
消臭については、消臭剤をフィルターに付着又は含浸させた消臭フィルターにによる消臭、光触媒による消臭あるいはオゾンによる消臭等の提案が行われている。
塵埃の除去、殺菌、消臭の三つの機能を組み込んだ空気清浄装置として提案されているものとして、例えば特許文献１がある。
【０００３】
【特許文献１】
特開２０００−２１７９００号公報
【０００４】
【発明が解決しようとする課題】
特開２０００−２１７９００号公報においては、塵埃の除去、殺菌、消臭の三つの機能が組み込まれている点において優れているものといえる。
しかし、空気清浄システムにおいては、上記三つの機能を持つだけではまだ万全といえるものではない。
例えば、オフィスビル等冷暖房を行っている室内においては、室内の空気をただ循環させるだけでは空気の汚れはだんだん大きくなるので、外気を取り入れる必要がある。その場合、直接外気を取り入れるだけだと、冷暖房の熱ロスが大きくなる。
また、室内の湿度が高い場合、そのまま空気を空気清浄装置に循環させると、殺菌フィルターや消臭フィルターの機能を低下させ、場合によっては殺菌フィルターの働きに重大なダメージを与えてかえってカビや細菌を増殖させてまき散らす場合もある。
本発明は、このような課題を解決するためになされたものである。
【０００５】
【課題を解決するための手段】
殺菌、消臭、空気清浄ユニット（１０）、全熱交換器（２０）、及び除湿機（３０）を、ダクトＡ（４０）、ダクトＢ（４１）、ダクトＣ（４２）、ダクトＤ（４３）、ダクトＥ（４５）、ダクトＦ（４６）、ダクトＧ（４７）により有機的に連結し、ダクトＡ（４０）、ダクトＦ（４６）及びダクトＧ（４７）の途中に風量調節ダンパー（４８）を設け、ダクトＧ（４７）の先端にリリースダンパー（４９）を設ける。
ダクトＤ（４３）に吹出口（４４）を必要数取り付ける。
【０００６】
【発明の実施の形態】
以下、本発明の実施の形態を説明する。
図１について説明すると、殺菌、消臭、空気清浄ユニット（１０）と全熱交換器（２０）とはダクトＢ（４１）及びダクトＥ（４５）で接続される。
全熱交換器（２０）のもう一方には吸気用のダクトＡ（４０）及び排気用のダクトＦ（４６）が接続され、ダクトＦ（４６）の途中にダクトＧ（４７）を接続し、ダクトＧ（４７）の先端にリリースダンパー（４９）を接続する。
殺菌、消臭、空気清浄ユニット（１０）と除湿機（３０）とはダクトＣ（４２）で接続される。殺菌、消臭、空気清浄ユニット（１０）からは吹き出し用のダクトＤ（４３）が接続され、その先に吹出口（４４）を必要数設ける。
ダクトＡ（４０）、ダクトＦ（４６）及びダクトＧ（４７）の途中に風量調節ダンパー（４８）を設けて風量調節を行い、室内の気圧をプラスに設定する。
【０００７】
殺菌、消臭、空気清浄ユニット（１０）の構造は図１の構造図に示す通りである。
内部構造は、最下部に吸入部（１１）があり、その上部に下から順に集塵フィルターＡ（１２）、殺菌フィルター（１３）、消臭フィルター（１４）、集塵フィルターＢ（１５）の各フィルター層が積層されている。その上部に送風機（１６）を設ける。外部前面には吹出口（１７）及びスイッチ（１８）を設ける。
本ユニットには吹出口（１７）を設けてあるので、直接吹き出しができるようになっている。もしより大きな部屋や複数の部屋でダクトによる吹き出しをする場合は、吹出口（１７）は不要とし、本ユニットの上部にダクトＤ（４３）を連結し、ダクトＤ（４３）から適当な間隔で吹出口（４４）を必要数取り付ける。
【０００８】
集塵フィルターＡ（１２）、殺菌フィルター（１３）、消臭フィルター（１４）、集塵フィルターＢ（１５）は市販のフィルターを組み込んだものである。
従って例えば、殺菌フィルター（１３）については、殺菌作用がある化学物質を付着又は含浸させたフィルター、あるいは溶菌酵素を付着又は含浸させたフィルター等のうちより適当なものを選択して使用する。また、消臭フィルター（１４）についても、フィルター方式以外にオゾンによる消臭あるいは光触媒による消臭方式とすることも可能であるが、本発明においては消臭フィルター方式として説明する。
集塵フィルターＡ（１２）は、比較的粗い塵埃を捕え、塵埃フィルターＢ（１５）は微細な塵埃を捕える。
【０００９】
全熱交換器（２０）は、吸気と排気とを特殊なフィルターを介して接触させることにより、効率よく熱交換を行うものである。これにより冷暖房による熱のロスを著しく低減することができる。
【００１０】
除湿機（３０）は、ダクトＣ（４２）により、殺菌、消臭、空気清浄ユニット（１０）の吸入部（１１）に連結されている。
【００１１】
次に本発明による空気の流れを説明する。
まず、殺菌、消臭、空気清浄ユニット（１０）のスイッチ（１８）を入れる。スイッチ（１８）は連動となっているので、送風機（１６）が働くと同時に全熱交換器（２０）及び除湿機（３０）が稼動する。
外気がダクトＡ（４０）から取り入れられ、全熱交換器（２０）を通り、ダクトＢ（４１）により殺菌、消臭、空気清浄ユニット（１０）の吸入部（１１）に導かれる。
一方除湿機（３０）の吸入口より室内の空気を取り入れて除湿された空気が、ダクトＣ（４２）により同じく殺菌、消臭、空気清浄ユニット（１０）の吸入部（１１）に送られる。この二つの空気が混合されて集塵フィルターＡ（１２）、殺菌フィルター（１３）、消臭フィルター（１４）、集塵フィルターＢ（１５）の各層を次々に通過して上部の吹出口（１７）より室内に吹き出される。
ダクト方式の場合は、空気はダクトＤ（４３）により吹出口（４４）から室内に吹き出される。
一方集塵フィルターＢ（１５）を通過した空気の一部は、ダクトＥ（４５）により全熱交換器（２０）に送られる。
全熱交換器（２０）では、例えば外気温が低く、室内では暖房が行われている場合、吸入された冷たい空気が暖かい排気と特殊フィルターによって熱交換が行われ、室内に送られる空気は暖められ、排気は冷やされてダクトＦ（４６）により外へ排出される。ダクトＦ（４６）より分岐した一部の空気はダクトＧ（４７）により風量調節ダンパー（４８）を通ってリリースダンパー（４９）から外へ排出される。３ヶ所の風量調節ダンパー（４８）により室内の空気圧が外気の空気圧より高く保たれるように調節する。これにより、隙間からの外気の侵入を防ぐ。
また、排出される空気は、殺菌、消臭、空気清浄ユニット（１０）を通っているので、汚染されていないきれいな空気である。
【００１２】
【発明の効果】
外気を取り入れて空気の新鮮さを保つ殺菌、消臭、空気清浄システムでありながら熱効率がよく、除湿によりカビや細菌の繁殖を防いで、殺菌フィルターや消臭フィルターの能力を充分発揮させることが出来るので、カビや細菌の増殖による健康への悪影響をもたらさない。
【図面の簡単な説明】
【図１】本発明のシステム全体図
【符号の説明】
１０  殺菌、消臭、空気清浄ユニット
１１  吸入部
１２  集塵フィルターＡ
１３  殺菌フィルター
１４  消臭フィルター
１５  集塵フィルターＢ
１６  送風機
１７  吹出口
１８  スイッチ
１９  外板
２０  全熱交換器
３０  除湿機
４０  ダクトＡ
４１  ダクトＢ
４２  ダクトＣ
４３  ダクトＤ
４４  吹出口
４５  ダクトＥ
４６  ダクトＦ
４７  ダクトＧ
４８  風量調節ダンパー
４９  リリースダンパー
【図１】
2004251607.tif 000002